(57)【特許請求の範囲】
【請求項１】
可動接点ばねの長さ方向の先端に可動接点部を備え、可動接点ばねの板面を可動接点ばねの作動方向とは略直交する方向になすとともに可動接点ばねの長さ方向の基端部を樹脂ボディにインサート成形された小型スイッチであって、可動接点ばねの長さ方向の基端部における可動接点ばねの巾方向の側端部からインサート片を延出するのに、インサート片は可動接点ばねの巾方向の一側端から延出されるかもしくは両側端から側面視において重ならないように千鳥状に延出されて成ることを特徴とする小型スイッチ。
【請求項２】
インサート片は可動接点ばねの一側端部から延出されるとともにインサート片の他側部には樹脂ボディ及び樹脂カバーに形成されたリブにて保持されて成ることを特徴とする請求項１記載の小型スイッチ。
【請求項３】
インサート片は可動接点ばねの両側から側面視において重ならないように千鳥状に延出されて成ることを特徴とする請求項１記載の小型スイッチ。
【発明の詳細な説明】
【０００１】
【産業上の利用分野】
本発明は、小型スイッチに関し、詳しくは可動接点ばねをインサート成形する金型の構成を簡素化しようとする技術に係るものである。
【０００２】
【従来の技術】
従来、可動接点部６を備えた可動接点ばね５ａの板面を可動接点ばね５ａの作動方向とは略直交する方向になすとともに可動接点ばね５ａの端部を樹脂ボディ１にインサート成形された小型スイッチＳにおいては、図８，図９に示すように、可動接点ばね５ａの端部においてその両側にインサート片１１ａ，１１ｂが側面視において重なる位置において延出されているものである。
【０００３】
【発明が解決しようとする課題】
ところが、このような構成のものにおいては、両方のインサート片１１ａ，１１ｂを樹脂ボディ１にインサートするのに、図８に示すように、左右に離型される一対の金型ａ，ｂの他にこれら金型ａ，ｂ内にスライドして進入するスライド金型（スライドコア）ｃを必要とし、成形金型が複雑となるものである。
【０００４】
本発明はこのような問題に鑑みてなされたものであり、その目的とするところは、簡単な改良にて、成形金型を簡素化することができる小型スイッチを提供しようとするにある。
【０００５】
【課題を解決するための手段】
本発明は、可動接点ばね５の長さ方向の先端に可動接点部６を備え、可動接点ばね５の板面を可動接点ばね５の作動方向とは略直交する方向になすとともに可動接点ばね５の長さ方向の基端部を樹脂ボディ１にインサート成形された小型スイッチであって、可動接点ばね５の長さ方向の基端部における可動接点ばね５の巾方向の側端部からインサート片１１を延出するのに、インサート片１１は可動接点ばね５の巾方向の一側端から延出されるかもしくは両側端から側面視において重ならないように千鳥状に延出されて成ることを特徴とするものである。
【０００６】
また、インサート片１１は可動接点ばね５の一側端部から延出されるとともにインサート片１１の他側部には樹脂ボディ１及び樹脂カバー９に形成されたリブ１２にて保持されて成ることを特徴とするものである。
また、インサート片１１は可動接点ばね５の両側から側面視において重ならないように千鳥状に延出されて成ることを特徴とするものである。
【０００７】
【作用】
このように、可動接点ばね５の長さ方向の先端に可動接点部６を備え、可動接点ばね５の板面を可動接点ばね５の作動方向とは略直交する方向になすとともに可動接点ばね５の長さ方向の基端部を樹脂ボディ１にインサート成形された小型スイッチであって、可動接点ばね５の長さ方向の基端部における可動接点ばね５の巾方向の側端部からインサート片１１を延出するのに、インサート片１１は可動接点ばね５の巾方向の一側端から延出されるかもしくは両側端から側面視において重ならないように千鳥状に延出されることによって、樹脂ボディ１にインサート片１１をインサートする場合に、成形金型を一対の左右開き型になし、従来のようにスライド金型を必要とすることがなく、金型構成を簡素化するようにしたものである。
【０００８】
また、インサート片１１は可動接点ばね５の一側端部から延出されるとともにインサート片１１の他側部には樹脂ボディ１及び樹脂カバー９に形成されたリブ１２にて保持されることによって、インサート片１１を可動接点ばね５の一側端部から延出して、成形金型を左右に開く形態にしてその金型構成を簡素化しながら、可動接点ばね５を一枚のインサート片１１にて片持ち状に支持するのに、インサート片１１とは反対側の部分においては樹脂ボディ１及び樹脂カバー９に形成したリブ１２にて保持し、可動接点ばね５が揺れて、固定接点部４に対する可動接点ばね５の可動接点部６の接触不良を生じさせるのを回避するようにしたものである。
【０００９】
また、インサート片１１は可動接点ばね５の両側から側面視において重ならないように千鳥状に延出されることによって、インサート片１１は千鳥状に複数枚延出されていて、可動接点ばね５を樹脂ボディ１にインサートする成形金型は左右開き形態にして、成形金型構成を簡素化するものでありながら、可動接点ばね５の支持を可動接点ばね５の両側部において千鳥状に延出したインサート片１１にて充分な強度にて支持することができるようにしたものである。
【００１０】
【実施例】
以下本発明の実施例を図面に基づいて詳述する。
フープ材のような金属板から三個の端子２が連なった状態で金属主体部Ｂが打ち抜かれる。この金属主体部Ｂが樹脂ボディ１にインサート成形される。かかる場合、三個の端子２のうちの一つの端子２に常閉接点となされる固定接点部４が形成さる。そして中央の端子２に常開接点となされる固定接点部４が形成される。他の一つの端子２に可動接点ばね５が一連に連らねられてインサート成形されるものである。そして三個の端子２が連ねられる部分は予め切断分離されているのはいうまでもない。
【００１１】
固定接点部４，４は折り重ねられ、また、可動接点ばね５の先端に形成された可動接点部６も略Ｃ字状に折り曲げられ、可動接点ばね５の二股状の可動接点部６が平面視で重なるように例えば上下に配設される固定接点部４，４を挟持して摺接して接触することができるようにしてある。
押釦７は可動接点ばね５を跨ぐように配設され、端子２・・をインサート成形した樹脂ボディ１の突起８を樹脂ケース９の凹所１０に嵌合して、小型スイッチＳが構成される。
【００１２】
可動接点部６を備えた可動接点ばね５の板面を可動接点ばね５の作動方向とは略直交する方向になされている。そして、可動接点ばね５の基端部における板面の側端部からインサート片１１を延出するのに、図１に示すように、可動接点ばね５と端子２とがインサート片１１にて一連に形成され、可動接点ばね５は片持ち状にインサート片１１を介してインサート成形されている。
【００１３】
このように、可動接点ばね５の基端部における板面の側端部からインサート片１１を延出するのに、その成形金型が左右開き状になるようにインサート片１１は一側部に延出されることによって、樹脂ボディ１にインサート片１１をインサートする場合に、成形金型を一対の左右開き型になし、つまり、図１（ａ）に示すように、一対の開き状態になされた成形金型ａ，ｂにて可動接点ばね５のインサート成形がおこなえるようにしたものである。
【００１４】
ところで、図８及び図９に示す従来例においては、端子２と一連となるインサート片１１ａと短いインサート片１１ｂとが樹脂ボディ１にインサート成形されるのであるが、かかる場合、短いインサート片１１ｂは樹脂ボディ１の成形時に図９（ｂ）に示しイ矢印のように成形圧力を受けて、この短いインサート片１１ｂが押し上げられて浮き上がり、結果として可動接点ばね５がその巾方向に傾き、接点部間の接触不良が生じることになるのであるが、図１に示す実施例の場合には、インサート片１１が端子２と一連になされていて、これが浮き上がることがなく、片方のインサート片１１が形成圧力にて浮き上がるのを回避して、可動接点ばね５の傾きを回避するものである。そして、このように可動接点ばね５をインサート片１１にて片持ち状に支持されてはいるが、片持ち故、可動接点ばね５が傾く虞があるので、その対策をおこなっている。
【００１５】
つまり、可動接点ばね５の一側端部から延出されるインサート片１１の他側部には樹脂ボディ１に形成された枕状の受リブ１３にて受けられ、そして、樹脂カバー９側には板片状の一対の押さえリブ１４が形成されて、この押さえリブ１４にて押さえられ、可動接点ばね５の横揺れを阻止している。かかる場合、受リブ２は押さえリブ４よりも可動接点部６側に位置している。そして、押さえリブ１４は１個でもよい。
【００１６】
ところで、可動接点ばね５はインサート片１１を樹脂ボディ１にインサート成形した後に折り曲げ１５において折り曲げられるのであり、インサート成形時にインサート片１１のインサート位置が成形圧力にて多少ずれても折り曲げ形成される可動接点ばね５は所定姿勢に折り曲げることができるものである。
図６及び図７は他の実施例を示していて、インサート片１１は可動接点ばね５の両側からその側面視において重なることがないように千鳥状に延出されているものである。
【００１７】
このように、インサート片１１は千鳥状に複数枚延出されていて、可動接点ばね５を樹脂ボディ１にインサートする成形金型は左右開き形態の成形金型ａ，ｂにできて、成形金型構成を簡素化するものでありながら、可動接点ばね５の支持を可動接点ばね５の両側部において千鳥状に延出したインサート片１１にて充分な強度にて支持することができるのである。かかる場合、図７（ｄ）に示すように、短いインサート片１１ｂには切欠き１６が形成されていて、成形圧力にてインサート片１１ｂが浮き上げられるのを抑制するようにしてある。
【００１８】
【発明の効果】
本発明は上述のように、可動接点ばねの長さ方向の先端に可動接点部を備え、可動接点ばねの板面を可動接点ばねの作動方向とは略直交する方向になすとともに可動接点ばねの長さ方向の基端部を樹脂ボディにインサート成形された小型スイッチであって、可動接点ばねの長さ方向の基端部における可動接点ばねの巾方向の側端部からインサート片を延出するのに、インサート片は可動接点ばねの巾方向の一側端から延出されるかもしくは両側端から側面視において重ならないように千鳥状に延出されるから、樹脂ボディにインサート片をインサートする場合に、成形金型を一対の左右開き型にすることができ、従来のようにスライド金型を必要とすることがなく、金型構成を簡素化することができるという利点がある。
【００１９】
また、インサート片は可動接点ばねの一側端部から延出されるとともにインサート片の他側部には樹脂ボディ及び樹脂カバーに形成されたリブにて保持されるから、インサート片を可動接点ばねの一側端部から延出して、成形金型を左右に開く形態にしてその金型構成を簡素化しながら、可動接点ばねを一枚のインサート片にて片持ち状に支持するのに、インサート片とは反対側の部分においては樹脂ボディ及び樹脂カバーに形成したリブにて保持し、可動接点ばねが揺れて、固定接点部に対する可動接点ばねの可動接点部の接触不良を生じさせるのを回避することができるという利点がある。
【００２０】
また、インサート片は可動接点ばねの両側から側面視において重ならないように千鳥状に延出されるから、インサート片は千鳥状に複数枚延出されていて、可動接点ばねを樹脂ボディにインサートする成形金型は左右開き形態にして、成形金型構成を簡素化できるものでありながら、可動接点ばねの支持を可動接点ばねの両側部において千鳥状に延出したインサート片にて充分な強度にて支持することができるという利点がある。
【図面の簡単な説明】
【図１】本発明の一実施例を示し、（ａ）は樹脂ボディ側の一部破断した平面図、（ｂ）は側面図、（ｃ）は正面図、（ｄ）は背面図、（ｅ）は可動接点ばねの平面図である。
【図２】同上の樹脂カバーを示し、（ａ）は側断面図、（ｂ）は平面図、（ｃ）は一部破断した正断面図、（ｄ）は一部破断した背面図である。
【図３】同上の樹脂カバーを示し、（ａ）は底面図、（ｂ）は側面図である。
【図４】同上の小型スイッチの一部破断した側面図である。
【図５】同上の一部破断した分解斜視図である。
【図６】同上の他の実施例の一部破断した分解斜視図である。
【図７】同上の樹脂ボディ側の一部破断した平面図、（ｂ）は側面図、（ｃ）は背面図、（ｄ）は部分拡大作用説明図である。
【図８】従来例を示し、（ａ）は樹脂ボディ側の一部破断した平面図、（ｂ）は側面図、（ｃ）は正面図、（ｄ）は背面図である。
【図９】（ａ）は一部破断した分解斜視図、（ｂ）は部分拡大作用説明図である。
【符号の説明】
１  樹脂ボディ
５  可動接点ばね
６  可動接点部
９  樹脂カバー
１１  インサート片
１２  リブ
【図１】
0003593699.tif 000002
【図２】
0003593699.tif 000003
【図３】
0003593699.tif 000004
【図４】
0003593699.tif 000005
【図５】
0003593699.tif 000006
【図６】
0003593699.tif 000007
【図７】
0003593699.tif 000008
【図８】
0003593699.tif 000009
【図９】
0003593699.tif 000010